(57)【要約】      （修正有）【課題】タバコの購入が可能なコンビニ店のカウンターに專用申請端末機器を多数台設置する事により、認証申請と取得の効率化、スピードアップ化、手続きの簡素化を狙った電子申請端末を提供する。【解決手段】日本全国の主要なコンビニ店のレジ台にノートパソコンとカメラスタンドを設置し、喫煙者がコンビニ店でタバコを購入する際に、顔写真と運転免許等の証明書を画像としてカメラで取り込み、前記パソコンのキーボードにて氏名、所在地、生年月日等の情報を入力し、インターネット回線を通じてタバコ協会団体のデータベースへのデータコンバートにより電子的な審査手法の導入により申請と審査のスピーディ化と業務の効率化を狙う事を特徴とする。【選択図】図１
0003149189.tif 000002
【実用新案登録請求の範囲】
【請求項１】
液晶モジュールとＣＰＵと記憶装置とタッチパッドとキャビと電池とＬＡＮ端子とＨＤＤとカメラ用ＵＳＢインターフェイスから構成されるノートパソコン、フラッシュ付きデジタルカメラとこれを支える手動で上下に撮影角度を自在に調整可能な金属製のアームと支柱と台座からなるカメラスタンド、パソコンの入出力ポートからの不正なデータアクセス防止パネル、パソコンの盗難防止具、防水防塵の為の透明キーボードカバー、パソコン用ＯＳソフトと応用ソフトである氏名・住所・生年月日等の入力の為を行う個人情報入力ソフト、顔写真や免許証等の認証の写真撮影を行うデジカメ写真撮影ソフトとこれらのソフトを連続した対話形式でフローを管理するメニューソフト、画像のファイル名に使用する為のＩＤ番号を生成し電子メールを生成するインターネット通信ソフト、ファイアーウォールからなるセキュリティ対策ソフトで構成される電子申請端末に於いて、カメラスタンドの柱上のカメラ位置で顔写真の撮影が可能な上、カメラを支柱の上位置からキーボード中心部の免許証や住民票等を置いた撮影物の真上位置に倒し、撮影角度を真下方向へ手動で可動する事により、認証の取得申請の為に必須の免許等の認証と顔写真を撮影・電子化し、個人情報をキーボードから入力し、短時間でスピーディにインターネットを利用した認証申請を行い、たばこや酒類等の自販機で使用する成人識別認証の発行が可能な事を特徴とする電子申請端末。
【請求項２】
請求項１記載の構成の電子申請端末に於いて、透明なキーボードカバー上に免許証や住民票や保険証等の異なるサイズの証明書の撮影に対応した配置位置の枠のマーキングを記す事と自動的に認証とサイズの識別手段にて、証明書のサイズ枠に合わせた解像度でデジカメ撮影を行う為のデジカメ写真撮影ソフトの採用により、自動的に証明書を判別し、正確な倍率モードを切り替えし、撮像と電子化が可能な事を特徴とする電子申請端末。
【請求項３】
請求項１記載の構成の電子申請端末に於いて、撮影したデジカメ画像の文字が読める事を検証する為、写真撮影にてデジタル情報として取り込まれた文字・数字情報の可読性をチェックする為のＯＣＲチェック機能を含むデジカメ撮影ソフトにより取り込んだ免許の文字数字情報が識別可能なレベルか自動的に判別し、識別できない場合は、顧客へエラーメッセージを文字と音声で通知する事を特徴とする電子申請端末。
【請求項４】
請求項１記載の構成の電子申請端末に於いて、キーボードにて入力された個人情報のデータを協会団体のサーバーへインターネット回線にて送信し、関係団体の電子審査データベースへの変換を目指しＴＡＢ記号やカンマ記号区切りデータ形式で個人情報を写真データと一緒に電子メールとして転送が可能な事を特徴とする電子申請端末。
【請求項５】
請求項１記載の構成の電子申請端末に於いて、各端末と顧客ごとにＩＤ番号を生成し、データごとにＩＤ番号を追加すると共に、顔写真と免許証の画像データのファイル名にＩＤ番号に英数字の桁を追加したファイル名を自動的に生成し、送信する事によりスピーディな電子申請・審査が可能な事を特徴とする電子申請端末。
【請求項６】
請求項１記載の構成の電子申請端末に於いて、個人情報保護の為、テキストデータと画像データを関係団体の審査センターでの受信が完了した事を確認した段階で、一時的に保存したＨＤＤやＲＡＭ内の個人情報を含む仮保存データを定期的に消去し、個人情報の漏洩と悪用を阻止する事を特徴とする電子申請端末。
【請求項７】
請求項１記載の構成の電子申請端末に於いて、氏名・住所・生年月日の入力の為を行う個人情報入力ソフトと対話形式でフローを管理するメニューソフトにより、文字数字入力編集以外のキー操作を無効にする事により、システムの故障や不正アクセスや情報漏洩等に繋がる事態を防止する事を特徴とする電子申請端末。
【考案の詳細な説明】
【技術分野】
【０００１】本考案は、ノートパソコンをベースとする成人認証取得の為の電子申請端末に関するものです。
【背景技術】
【０００２】現在、たばこの自販機には、成人認証システムが導入され、未成年者への販売を防いでいる。しかし当該成人認証には顔写真や個人情報をインターネットでダウンロードした書式を印字し必要事項を記入し、郵便によるタバコ協会への送付、認証の顧客への郵送の手続きが必要となる。
本考案は、喫煙者が成人認証のカードを認証なしでタバコの購入が可能なコンビニ店のカウンターに專用申請端末機器を多数台設置する事により、認証申請と取得の効率化、スピードアップ化、手続きの簡素化を狙った電子申請端末に関する技術です。
【考案の開示】
【考案が解決しようとする課題】
【０００３】前記の通り、タバコの自販機への成人認証システムの導入が今年７月より全国で導入されたが、面倒な手続きが必要な為、喫煙者は最寄のコンビニ店を利用しており、自販機に力を入れたタバコ屋さんの経営は販売不振により苦境が続いている。関係団体としてもタバコ屋の店頭にて申請記入用紙や約款を含むキットを無料で配布するも、成人認証の普及率は、全喫煙者の１／４程度と低迷しております。更に当日認証の発行が可能な機器を設置し、イベントを行い、全国各地へ移動し一部の重点地区に限定し、イベントも行っているが、日本全国をカバーする大規模な認証普及活動にはなっていない。
もし全国の主要拠点のコンビニ店に、設置報酬を支払い、普及型のインターネット端末機器を設置し、迅速な申請業務、免許や保険証等の読取・電子化、審査機関へインターネット回線を利用した迅速な送信が出来たとしたら、認証の普及に結び付き、自販機の利用の増大により、タバコ屋さんの経営環境の改革と喫煙者の利便性の向上と顧客満足度アップに結び付くはずです。
電子的に認証の申請システムを構築するには、インターネット接続可能なノートパソコンとデジタルカメラと原稿定置型スキャナを設置する事は想定されるが、コンビニ店の限られたレジ台上のスペースをＡ４二枚分のＡ３以上占有する上、デジタルカメラの盗難とパソコン内での個人情報のセキュリティ確保等の課題が発生する。
【課題を解決するための手段】
【０００４】本考案は、インターネット接続可能な液晶パネルやＣＰＵやＲＡＭやＣＤドライブやキーボードやタッチパッドや通信回路等から構成される普及型のノートパソコンをベースに、パソコンを金属製の台座で敷き、台座の奥に設置された金属製の堅牢な柱の頂点部にカメラのついたアームの角度が調整可能な角度調整部を配し、ノートパソコンの表示部を開いた状態で認証申請の際に必要な顔写真と証明書の撮影と個人情報の効率的でスピーディな入力と安全に関係団体のサーバーへの送信・申請を可能にするものです。
前記ＣＣＤカメラのアームをパソコンの手前方向のキーボードの上位置まで倒しカメラの撮影アングルを真下に向け、防塵目的で設置されている透明キーボードカバー上に記された複数の認証のサイズの設置位置枠の上の位置に置いた運転免許や住民票等をデジタルデータとしてカメラで撮影可能にするものです。
本考案は、横と奥行きのサイズが約Ａ４サイズ程度又はこれに近いサイズのノートパソコンと金属製のカメラスタンドからなる電子申請端末に関するものであり、コンビニ店のレジ台への設置のためにＡ４に近い省スペースな形状を特徴とする端末に関するものです。
金属製の台座には、カメラからのケーブル接続された入出力ポートを施錠により悪戯防止をするものです。
【考案の効果】
【０００５】本考案の電子申請端末では、たばこ等の自販機用の成人識別認証の申請審査発行をスピーディに効率的に手間を掛けずに行う為に、低価格な汎用ＯＳ採用の市販されているノートパソコンをベースに、カメラとカメラスタンドと入出力ポートからの悪戯防止を兼ねたカメラ付きスタンド付きの台座と組み合わせる事により、認証の発行審査の為に必要な個人情報や顔写真や証明書の写真撮影、電子化し、キーボードにて入力の氏名、フリガナ、郵便番号、住所、フリガナ、生年月日、電話番号、メールアドレスを対話形式で入力するものです。
個人情報が入力でき、顔写真と証明書の撮影が完了した時点で、インターネット回線を通じて電子メールにて文字データと画像データを送信するものです。
カンマ記号又はＴＡＢ記号でデータを区切ったＣＳＶ形式等を採用しつつ、システムで自動的に生成された写真のファイル名に生成されたＩＤ番号に拡張子をつけ、関係団体の審査センターへ転送し、転送が完了した時点で申請者に送信完了を文字と音声で知らせ、端末内の個人情報を消去するものです。
この事により、審査センターでテキストと画像データをセンター内の審査データベースへのコンバートにより審査効率の自動化、審査期間短縮を図るものです。更に郵便番号の入力により自動的に住所情報の大部分を自動フィルを行い、更に氏名や地名の入力でも全ての変換候補を新しいウインドウに全て縦横に表示させる事により、入力効率の向上を図るものです。
【考案を実施するための最良の形態】
【０００６】本考案を実現するための最良の形態について説明します。本考案は、コストパフォーマンスに優れた汎用ノートパソコンとデジタルカメラとアーム付きの台座と専用ソフトを組み合わせ、日本全国の主要なコンビニ店のレジカウンターへの設置とインターネット接続により、たばこ等の成人識別の為の認証の申請を促し、タバコ屋さんの経営体質の危機を救済する事を目指すものです。
コンビニ店のレジカウンターの空きスペースを利用させて頂く報酬として、コンビニ店のインターネット回線や電気代の利用の報酬として成果報酬をタバコ協会として各店への支払により自販機によるタバコ販売の促進を目指すものです。現在の自販機離れを打開するには、戦略的で組織的な実行力のあるシステム構築が不可欠です。
郵便番号を入力すると内蔵の郵便番号と地名データベースにて自動フィルを行うと共に氏名や地名の入力の際には、全ての変換候補をカンマで縦横に一覧表示し、矢印キーで選択し、実行キーにてスピーディに確定可能な事を特徴とする。
ある程度、パソコンに習熟した利用者の場合、１件の個人情報登録を５分程度で入力、申請手続きを目指すものです。
【実施例】
【０００７】図１成人認証取得の為の電子申請端末の具体的な実施例について説明します。本考案の成人認証取得の為の電子申請端末は、コンビニ店のレジ台の周囲部にＡ４サイズ程度のスペースのノートパソコンとカメラスタンド付きの台座を配し、成人認証申請の手続きをスピーディに手間を掛けずに行う。コンビニ店でのノートパソコンの盗難を防止する為に錠付きの金属製のワイヤーをレジ台の柱等に固定するものです。
更に本認証を利用した顧客に対して、成人識別と電子マネー対応の自販機への抽選機能の追加にて電子マネー運営会社のコンピュータにて抽選で代金をたばこ協会の販促費で支払わせ、自販機に投入した代金を返金し、抽選で当選者にタバコを無料で提供するイベントの企画により客離れが進む自販機への集客を提案するものです。
【図面の簡単な説明】
【０００８】
【図面の簡単な説明】
【図１】本考案のノートパソコンをベースとする電子申請端末の外観図
【図２】本考案のノートパソコンをベースとする電子申請端末の横からの外観図
【図３】本考案のノートパソコンをベースとする電子申請端末のブロック回路図
【符号の説明】
【０００９】１  ノートパソコンの表示部
２  液晶モジュール
３  証明書と顔写真の撮影の為のカメラを支える為の可動式のアーム部
４  フラッシュ付きオートフォーカスＣＣＤデジタルカメラ
５  カメラスタンドの柱の頂点部のアームの角度調整機構
６  カメラスタンドの柱
７  カメラスタンドの金属製の台座、Ｉ／Ｏポートの保護パネルの固定するベース部
８  ノートパソコンのキーボード、防塵防水用として透明キーボードカバーを設置する
９  Ｉ／Ｏポートの悪戯防止用パネル、施錠にて不正アクセス防止用パネルを施錠する
１０  コンビニ店のレジ台
１１  利用者、申請者
１２  免許証、住民票、保険証
１３  スペーサ、パソコンの奥には電源やＵＳＢケーブルがある為スペースを確保する為のもの
１４  カメラ用ＵＳＢケーブル
１５  証明書を撮影する際の中心線
１６  ノートパソコンのＩ／Ｏポートからの戯防止用の保護パネルの開け閉めの為の錠
【図１】
0003149189.tif 000003
【図２】
0003149189.tif 000004
【図３】
0003149189.tif 000005
【手続補正書】
【提出日】平成20年9月25日(2008.9.25)
【手続補正１】
【補正対象書類名】実用新案登録請求の範囲
【補正対象項目名】全文
【補正方法】変更
【補正の内容】
【実用新案登録請求の範囲】
【請求項１】
液晶モジュールとＣＰＵと記憶装置とタッチパッドとキャビと電池とＬＡＮ端子とＨＤＤとカメラ用ＵＳＢインターフェイス等から構成されるノートパソコン、フラッシュ付きデジタルカメラとこれを支える手動で上下に撮影角度を自在に調整可能な金属製のアームと支柱と台座からなるカメラスタンド、パソコンの入出力ポートからの不正なデータアクセス防止パネル、パソコンの盗難防止具、防水防塵の為の透明キーボードカバー、パソコン用ＯＳソフトと、応用ソフトとして氏名・住所・生年月日等の入力の為を行う個人情報入力ソフト、顔写真や免許証等の認証の写真撮影を行うデジカメ写真撮影ソフトとこれらのソフトを連続した対話形式でフローを管理するメニューソフト、画像のファイル名に使用する為のＩＤ番号を生成し個人情報を含む電子メールを生成・データ通信を行うインターネット通信ソフト、ファイアーウォールからなるセキュリティ対策ソフトを含むパソコン用ソフトを前記パソコンで実行するように構成される電子申請端末に於いて、金属製の台座の奥の支柱の頂点のアーム先端にデジタルカメラを配し、台座の上にパソコンを設置し、カメラやＡＤＳＬ等のケーブルが接続された状態で、パソコン用ＯＳを起動し、対話形式で申請のフローを管理するメニューソフトとデジカメ写真撮影ソフトとＵＳＢ  Ｉ／Ｆソフトとカメラインタフェイスソフトにて、カメラスタンドの柱上のカメラ位置で顔写真の撮影を行い、カメラとアームを支柱の真上位置からキーボード中心部に免許証や住民票等を置いた撮影物の真上位置にカメラを傾けてたおし、撮影角度を真下方向へ手動で可動し、パソコン内の撮影ソフトにて写真撮影する事により、成人認証の取得申請の手続きの為に必須の免許等の認証と顔写真を撮影・電子化し、メニューソフトと個人情報入力ソフトにて個人情報をノートパソコンのキーボードから入力し、前記インターネット通信ソフトにてＩＤ番号を生成・キーボードから入力した内容の電子メールを生成しＡＤＳＬ等の回線を利用し通信を行うインターネット通信ソフトとセキュリティ対策ソフトにて個人情報の漏洩をする事なく、短時間でスピーディにインターネットを利用し、成人認証審査団体に個人情報と写真データを送信し、認証申請の簡素化により、たばこや酒類等の自販機で使用する成人識別認証の迅速な発行が可能な事を特徴とする電子申請端末。
【請求項２】
顔写真や免許証等の認証の写真撮影を行うデジカメ写真撮影ソフトと台座奥の支柱にアームを介して固定されたデジタルカメラとカメラＩ／Ｆを利用し、透明なキーボードカバー上に免許証や住民票や保険証等の異なるサイズの証明書の撮影に対応した配置位置の枠のマーキングを記し、これに位置合わせし免許を置き、自動的に認証とサイズの識別するカメラ解像度最適化手段にて、証明書のサイズ枠に合わせた解像度でデジカメ撮影を行う為のパソコン内のデジカメ写真撮影ソフトの採用により、自動的に証明書サイズを判別し、正確な倍率モードの切り替えを行い、成人識別認証の発行の為の写真を撮影と電子化が可能な事を特徴とする請求項１に記載の電子申請端末。
【請求項３】
撮影・電子化により撮影したデジカメ画像の文字が読める事を検証する為、写真撮影にてデジタル情報として取り込まれた文字・数字情報の可読性をチェックする為のＯＣＲチェック機能を含むデジカメ撮影ソフトにより取り込んだ免許の文字数字情報が識別可能なレベルか自動的に判別し、識別できない場合は、顧客へエラーメッセージを文字と音声で通知する事を特徴とする請求項２に記載の電子申請端末。
【請求項４】
ノートパソコンに内蔵されたインターネット通信ソフトとメニューソフトを利用し、パソコンのＬＡＮ端子にＬＡＮケーブルをコンビニ店等のモデムに接続し、カメラ台座の上に設置されたノートパソコンのキーボードにて入力された個人情報のデータを認証審査団体のサーバーへインターネット回線にて個人情報を送信し、同団体側のパソコンで受信し、電子審査データベースへのデータ変換を目指し、パソコンのキーボードと、パソコンのＨＤＤ内の氏名・住所・生年月日等の入力の為を行う個人情報入力ソフトにより入力された個人情報をＴＡＢ記号やカンマ記号等で区切られたデータ形式として写真データを添付し、電子メールとして審査機関へデータ送信する事により迅速な成人認証の発行の為の電子申請が可能な事を特徴とする請求項１に記載の電子申請端末。
【請求項５】
パソコンのＨＤＤ内にインストールされたソフトである氏名・住所・生年月日等の入力の為を行う個人情報入力ソフトと、画像のファイル名に使用する為のＩＤ番号を生成し電子メールを生成し、通信するインターネット通信ソフトの採用により、各端末と顧客ごとにＩＤ番号を生成し、個人情報データごとにＩＤ番号を割り当て、顔写真と免許証等の画像データのファイル名にＩＤ番号に英数字の桁を追加したファイル名を自動的に生成・管理し、インターネット回線にて審査機関へ電子メールを送信する事によりスピーディな電子申請・審査が可能な事を特徴とする請求項１に記載の電子申請端末。
【請求項６】
パソコンのＨＤＤ内にインストールされたソフトである氏名・住所・生年月日等の入力を行う個人情報入力ソフトと、対話形式でフローを管理するメニューソフトの採用により、個人情報保護の為に入力したテキストデータと画像データを、前記の審査団体の審査センターへ送信し、団体側で受信が完了した事の確認メールを受信した段階で、一時的に保存したＨＤＤやＲＡＭ内の個人情報を含む一時的に記憶された個人情報を定期的に消去し、個人情報の漏洩と悪用を阻止する事を特徴とする請求項１に記載の電子申請端末。
【請求項７】
パンコンのＨＤＤ内にインストールされたソフトである氏名・住所・生年月日の入力を行う個人情報入力ソフトと対話形式でフローを管理するメニューソフトにて、文字数字入力編集やカーソルや決定等の以外のキー操作を無効にする事により、文字数字や変換や記号入力編集やカーソルやＥｎｔｅｒ等の必要最小限のキー操作に限定し入力許諾を与える事により、悪戯や誤ったキー操作によるシステムの故障や不正アクセスや情報漏洩等に繋がる事態を防止し、迅速な電子申請により成人認証の発行する事を特徴とする請求項１に記載の電子申請端末。
【手続補正書】
【提出日】平成20年12月3日(2008.12.3)
【手続補正１】
【補正対象書類名】実用新案登録請求の範囲
【補正対象項目名】全文
【補正方法】変更
【補正の内容】
【実用新案登録請求の範囲】
【請求項１】
液晶モジュールとＣＰＵと記憶装置とタッチパッドとキャビと電池とＬＡＮ端子とＨＤＤとカメラ用ＵＳＢインターフェイス等から構成されるノートパソコン、フラッシュ付きデジタルカメラとこれを支える手動で上下に撮影角度を自在に調整可能な金属製のアームと支柱と台座からなるカメラスタンド、パソコンの入出力ポートからの不正なデータアクセス防止パネル、パソコンの盗難防止具、防水防塵の為の透明キーボードカバー、パソコン用ＯＳソフトと、応用ソフトとして氏名・住所・生年月日等の入力の為を行う個人情報入力ソフト、顔写真や免許証等の認証の写真撮影を行うデジカメ写真撮影ソフトとこれらのソフトを連続した対話形式でフローを管理するメニューソフト、画像のファイル名に使用する為のＩＤ番号を生成し個人情報を含む電子メールを生成・データ通信を行うインターネット通信ソフト、ファイアーウォールからなるセキュリティ対策ソフトを含むパソコン用ソフトを前記パソコンで実行するように構成される電子申請端末に於いて、金属製の台座の奥の支柱の頂点のアーム先端にデジタルカメラを配し、台座の上にパソコンを設置し、カメラやＡＤＳＬ等のケーブルが接続された状態で、パソコン用ＯＳを起動し、対話形式で申請のフローを管理するメニューソフトとデジカメ写真撮影ソフトとＵＳＢ  Ｉ／Ｆソフトとカメラインタフェイスソフトにて、カメラスタンドの柱上のカメラ位置で顔写真の撮影を行いカメラとアームを支柱の真上位置からキーボードの上の免許証や住民票等を置いた撮影物の真上位置にカメラを傾け撮影角度を真下方向へ手動で可動可能な前記アームを利用し、パソコン内の撮影ソフトにて写真撮影する事により、成人認証の取得申請の手続きの為に必須の免許等の認証と顔写真を撮影・電子化し、メニューソフトと個人情報入力ソフトにて個人情報を前記ノートパソコンのキーボードを使用して個人情報の入力可能なパソコンにより、前記インターネット通信ソフトにてＩＤ番号を生成・キーボードから入力した内容の電子メールを生成しＡＤＳＬ等の回線を利用し通信を行うインターネット通信ソフトとセキュリティ対策ソフトにて個人情報の漏洩をする事なく、短時間でスピーディにインターネットを利用し、成人認証審査団体に個人情報と写真データを送信し、認証申請の簡素化により、たばこや酒類等の自販機で使用する成人識別認証の迅速な発行が可能な事を特徴とする電子申請端末。
【請求項２】
顔写真や免許証等の認証の写真撮影を行うデジカメ写真撮影ソフトと台座奥の支柱にアームを介して固定されたデジタルカメラとカメラＩ／Ｆを利用し、透明なキーボードカバー上に免許証や住民票や保険証等の異なるサイズの証明書の撮影に対応した免許証等の位置合わせが可能な配置位置の枠のマーキングを記した透明のキーボードカバーを配し、自動的に認証とサイズの識別するカメラ解像度最適化手段にて、証明書のサイズ枠に合わせた解像度でデジカメ撮影を行う為のパソコン内のデジカメ写真撮影ソフトの採用により、自動的に証明書サイズを判別し、正確な倍率モードの切り替えを行い、成人識別認証の発行の為の写真を撮影と電子化が可能な事を特徴とする請求項１に記載の電子申請端末。
【請求項３】
撮影・電子化により撮影したデジカメ画像の文字が読める事を検証する為、写真撮影にてデジタル情報として取り込まれた文字・数字情報の可読性をチェックする為のＯＣＲチェック機能を含むデジカメ撮影ソフトにより取り込んだ免許の文字数字情報が識別可能なレベルか自動的に判別し、識別できない場合は、顧客へエラーメッセージを文字と音声で通知する事を特徴とする請求項２に記載の電子申請端末。
【請求項４】
ノートパソコンに内蔵されたインターネット通信ソフトとメニューソフトを利用し、パソコンのＬＡＮ端子にＬＡＮケーブルをコンビニ店等のモデムに接続し、カメラ台座の上に設置されたノートパソコンのキーボードにて入力された個人情報のデータを認証審査団体のサーバーへインターネット回線にて個人情報を送信し、同団体側のパソコンで受信し、電子審査データベースへのデータ変換を目指し、パソコンのキーボードと、パソコンのＨＤＤ内の氏名・住所・生年月日等の入力の為を行う個人情報入力ソフトにより入力された個人情報をＴＡＢ記号やカンマ記号等で区切られたデータ形式として写真データを添付し、電子メールとして審査機関へデータ送信する事により迅速な成人認証の発行の為の電子申請が可能な事を特徴とする請求項１に記載の電子申請端末。
【請求項５】
パソコンのＨＤＤ内にインストールされたソフトである氏名・住所・生年月日等の入力の為を行う個人情報入力ソフトと、画像のファイル名に使用する為のＩＤ番号を生成し電子メールを生成し、通信するインターネット通信ソフトの採用により、各端末と顧客ごとにＩＤ番号を生成し、個人情報データごとにＩＤ番号を割り当て、顔写真と免許証等の画像データのファイル名にＩＤ番号に英数字の桁を追加したファイル名を自動的に生成・管理し、インターネット回線にて審査機関へ電子メールを送信する事によりスピーディな電子申請・審査が可能な事を特徴とする請求項１に記載の電子申請端末。
【請求項６】
パソコンのＨＤＤ内にインストールされたソフトである氏名・住所・生年月日等の入力を行う個人情報入力ソフトと、対話形式でフローを管理するメニューソフトの採用により、個人情報保護の為に入力したテキストデータと画像データを、前記の審査団体の審査センターへ送信し、団体側で受信が完了した事の確認メールを受信した段階で、一時的に保存したＨＤＤやＲＡＭ内の個人情報を含む一時的に記憶された個人情報を定期的に消去し、個人情報の漏洩と悪用を阻止する事を特徴とする請求項１に記載の電子申請端末。
【請求項７】
パソコンのＨＤＤ内にインストールされたソフトである氏名・住所・生年月日の入力を行う個人情報入力ソフトと対話形式でフローを管理するメニューソフトにて、文字数字入力編集やカーソルや決定等の以外のキー操作を無効にする事により、文字数字や変換や記号入力編集やカーソルやＥｎｔｅｒ等の必要最小限のキー操作に限定し入力許諾を与える事により、悪戯や誤ったキー操作によるシステムの故障や不正アクセスや情報漏洩等に繋がる事態を防止し、迅速な電子申請により成人認証の発行する事を特徴とする請求項１に記載の電子申請端末。